(57)【要約】【課題】近接する情報端末間での情報送信前の通信用事前処理を簡略化できる通信システム等を提供することを目的とする。【解決手段】通信ネットワーク上のサーバと、サーバに登録されサーバと通信可能な第１の情報端末と、少なくとも１つの第２の情報端末とを含む通信システムで、第１の情報端末の第１の制御部は、第２の情報端末からの識別情報を対象識別情報として取得し、サーバに登録された複数の情報端末の識別情報と特定情報とを対応付けた登録情報に、対象識別情報が含まれるかどうか判定し、含まれている対象識別情報に対応付けられた対象特定情報のなかから指定特定情報を決定し、指定特定情報に対応した指定識別情報を送信先として送信対象の情報を指定識別情報で識別される第２の情報端末にサーバを介して送信する。【選択図】図１
2013183385.tif 000002
【特許請求の範囲】
【請求項１】
通信ネットワーク上に設置されたサーバと、該サーバからのサービス提供を受ける対象として前記サーバに登録された該サーバと通信可能な第１の情報端末と、少なくとも１つの第２の情報端末とを含む通信システムであって、
前記第１の情報端末は、
第１の通信部と、
前記第１の情報端末の動作を制御する第１の制御部と、を備え、
該第１の制御部は、
前記第１の通信部で受信した信号から、少なくとも１つの前記第２の情報端末から発信された該第２の情報端末を識別する識別情報を有する識別信号の受信の有無を検索し、該検索により検出された前記識別信号があるとき、該識別信号に含まれる前記識別情報を対象識別情報として取得する識別情報検索・取得部と、
前記サーバからのサービス提供を受ける対象として前記サーバに登録された複数の情報端末の、それぞれに対する識別情報と前記複数の情報端末のそれぞれを特定する特定情報とを対応付けた情報である登録情報に、前記対象識別情報が含まれるかどうかの判定を行うとともに、前記対象識別情報が前記登録情報に含まれていると判定されたとき、含まれていると判定された前記対象識別情報及び該対象識別情報に前記登録情報で対応付けられた特定情報である対象特定情報を対象識別・特定情報として取得する特定情報取得部と、
前記対象識別・特定情報の中から少なくとも１つの前記対象特定情報を指定特定情報として決定する特定情報決定部と、
前記指定特定情報に対応付けられた前記対象識別情報を指定識別情報とし、前記指定識別情報と送信対象の情報とを含む端末送信情報を生成し、該端末送信情報を前記第１の通信部を介して前記サーバに送信する送信情報生成部と、を備え
前記サーバは、
サーバ通信部と、
前記サーバの動作を制御するサーバ制御部と、を備え、
該サーバ制御部は、
前記サーバ通信部を介して受信した前記端末送信情報に基づき、該端末送信情報に含まれる前記送信対象の情報を含む情報をサーバ送信情報として生成し、該サーバ送信情報を、前記端末送信情報に含まれる前記指定識別情報で識別される前記第２の情報端末に、前記サーバ通信部を介して送信するサーバ送信情報生成部を備え、
前記第２の情報端末は、
第２の通信部と、
前記第２の情報端末の動作を制御する第２の制御部と、を備え、
該第２の制御部は、
前記識別信号を、前記第２の通信部を介して発信するとともに、前記第２の通信部で前記サーバ送信情報を受信した場合に、該サーバ送信情報から前記送信対象の情報を取得する、
ことを特徴とする通信システム。
【請求項２】
前記サーバは、
前記登録情報を格納するサーバ記憶部を備え、
前記サーバ制御部は、
前記サーバ通信部を介して受信した前記第１の情報端末からの、前記登録情報に関する照会信号に対する応答として、前記サーバ記憶部に記憶されている前記登録情報に基づき、応答情報を生成し、前記サーバ通信部を介して前記第１の情報端末に送信する応答生成部を備え、
前記特定情報取得部は、前記第１の通信部を介して前記照会信号を送信し、前記第１の通信部を介して受信した前記応答情報に基づき、前記判定を行うと共に、前記対象識別・特定情報を取得する、
ことを特徴とする請求項１に記載の通信システム。
【請求項３】
前記応答情報は、前記登録情報を含み、
前記特定情報取得部は、前記応答情報に含まれる前記登録情報に基づき、前記判定を行うと共に、前記対象識別・特定情報を取得する、
ことを特徴とする請求項２に記載の通信システム。
【請求項４】
前記照会信号は前記対象識別情報を含み、
前記応答生成部は、前記サーバが保有する前記登録情報に基づき、前記サーバが受信した前記照会信号に含まれる前記対象識別情報が、前記登録情報に含まれているか否かを判定し、該判定の結果であるサーバ判定結果と、該サーバ判定結果が、前記対象識別情報が前記登録情報に含まれているというものである場合、前記登録情報に含まれる前記対象識別情報及び該対象識別情報に対応付けられた特定情報である対象特定情報と、を含めて前記応答情報として生成し、
前記特定情報取得部は、受信した前記応答情報に含まれる前記サーバ判定結果に基づき、前記判定を行うとともに、前記応答情報に含まれる、前記対象識別情報及び前記対象特定情報を前記対象識別・特定情報として取得する、
ことを特徴とする請求項２に記載の通信システム。
【請求項５】
前記第１の情報端末は、
前記登録情報を格納する第１の記憶部を備え、
前記特定情報取得部は、前記第１の記憶部から前記登録情報を読み出し、該登録情報に基づき前記判定を行うと共に、前記対象識別・特定情報を取得する、
ことを特徴とする請求項１に記載の通信システム。
【請求項６】
前記第１の情報端末は、
前記対象識別・特定情報を出力する出力部と、
入力部と、を備え、
前記特定情報取得部は、前記対象識別・特定情報を、前記出力部を介して出力し、
前記特定情報決定部は、前記出力部に出力された前記対象識別・特定情報の中から選択して前記入力部に入力された少なくとも１つの対象特定情報を前記指定特定情報として決定する、
ことを特徴とする請求項１乃至５のいずれか１項に記載の通信システム。
【請求項７】
通信ネットワーク上に設置されたサーバからのサービス提供を受ける対象として前記サーバに登録され、該サーバと通信可能な情報端末であって、
通信部と、
該通信部による情報の送受信と前記情報端末の動作を制御する制御部と、を備え、
該制御部は、
前記通信部で受信した信号から、前記サーバと通信可能な少なくとも１つの他の情報端末から発信された該他の情報端末を識別する識別情報を有する識別信号の受信の有無を検索し、該検索により検出された前記識別信号があるとき、該識別信号に含まれる前記識別情報を対象識別情報として取得する識別情報検索・取得部と、
前記サーバからのサービス提供を受ける対象として前記サーバに登録された複数の情報端末の、それぞれに対する識別情報と前記複数の情報端末のそれぞれを特定する特定情報とを対応付けた情報である登録情報に、前記対象識別情報が含まれるかどうかの判定を行うとともに、前記対象識別情報が前記登録情報に含まれていると判定されたとき、含まれていると判定された前記対象識別情報及び該対象識別情報に前記登録情報で対応付けられた特定情報である対象特定情報を対象識別・特定情報として取得する特定情報取得部と、
前記対象識別・特定情報の中から少なくとも１つの前記対象特定情報を指定特定情報として決定する特定情報決定部と、
前記指定特定情報に対応付けられた前記対象識別情報を指定識別情報とし、該指定識別情報と送信対象の情報とを合わせて端末送信情報として生成し、該端末送信情報を前記第１の通信部を介して前記サーバに送信する送信情報生成部と、を備える、
ことを特徴とする情報端末。
【請求項８】
通信ネットワーク上に設置されたサーバと、該サーバからのサービス提供を受ける対象として前記サーバに登録された該サーバと通信可能な第１の情報端末と、少なくとも１つの第２の情報端末とを含む通信システムの通信方法であって、
前記第２の情報端末が、該第２の情報端末を識別する識別情報を有する識別信号を発信する識別信号発信ステップと、
前記第１の情報端末が、前記識別信号の受信の有無を検索する識別信号検索ステップと、
該識別信号検索ステップで前記識別信号が検出されたとき、検出された前記識別信号に含まれる前記識別情報を対象識別情報として取得する識別情報取得ステップと、
前記第１の情報端末が、前記サーバからのサービス提供を受ける対象として前記サーバに登録された複数の情報端末の、それぞれに対する識別情報と前記複数の情報端末のそれぞれを特定する特定情報とを対応付けた情報である登録情報に、前記対象識別情報が含まれるかどうかの判定を行う判定ステップと、
該判定ステップで、前記対象識別情報が前記登録情報に含まれていると判定されたとき、前記第１の情報端末が、含まれていると判定された前記対象識別情報及び該対象識別情報に前記登録情報で対応付けられた特定情報である対象特定情報を対象識別・特定情報として、取得する特定情報取得ステップと、
前記第１の情報端末が、前記対象識別・特定情報の中から少なくとも１つの前記対象特定情報を指定特定情報として決定する特定情報決定ステップと、
前記第１の情報端末が、前記指定特定情報に対応付けられた前記対象識別情報を指定識別情報とし、該指定識別情報と送信対象の情報とを合わせて端末送信情報として生成し、該端末送信情報を前記第１の通信部を介して前記サーバに送信する送信情報生成ステップと、
前記第１の情報端末が、前記端末送信情報を前記サーバに送信する送信情報送信ステップと、
受信した前記端末送信情報に基づき、前記サーバが、該端末送信情報に含まれる前記送信対象の情報を含む情報をサーバ送信情報として生成するサーバ送信情報生成ステップと、
前記サーバが、前記サーバ送信情報を、前記端末送信情報に含まれる前記指定識別情報で識別される前記第２の情報端末に送信するサーバ送信情報送信ステップと、
前記第２の情報端末が、前記サーバ送信情報を受信した場合に、該サーバ送信情報から前記送信対象の情報を取得する送信対象情報取得ステップと、
を備えることを特徴とする通信システムの通信方法。
【請求項９】
通信ネットワーク上に設置されたサーバと、該サーバからのサービス提供を受ける対象として前記サーバに登録された該サーバと通信可能な、コンピュータとしての機能を有する情報端末と、少なくとも１つの他の情報端末とを含む通信システムの前記情報端末に、
前記少なくとも１つの他の情報端末から発信された該他の情報端末を識別する識別情報を含む識別信号の受信の有無を検索する識別信号検索ステップと、
該識別信号検索ステップで前記識別信号が検出されたとき、検出された前記識別信号に含まれる前記識別情報を対象識別情報として取得する識別情報取得ステップと、
前記サーバからのサービス提供を受ける対象として前記サーバに登録された複数の情報端末の、それぞれに対する識別情報と前記複数の情報端末のそれぞれを特定する特定情報とを対応付けた情報である登録情報に、前記対象識別情報が含まれるかどうかの判定を行う判定ステップと、
該判定ステップで、前記対象識別情報が前記登録情報に含まれていると判定されたとき、含まれていると判定された前記対象識別情報及び該対象識別情報に前記登録情報で対応付けられた特定情報である対象特定情報を対象識別・特定情報として取得する特定情報取得ステップと、
前記対象識別・特定情報の中から少なくとも１つの前記対象特定情報を指定特定情報として決定する特定情報決定ステップと、
前記指定特定情報に対応付けられた、前記対象識別情報を指定識別情報とし、該指定識別情報と送信対象の情報とを合わせて端末送信情報として生成し、該端末送信情報を前記第１の通信部を介して前記サーバに送信する送信情報生成ステップと、
前記端末送信情報を前記サーバに送信する送信情報送信ステップと、
を実行させることを特徴とする情報端末用通信プログラム。
【発明の詳細な説明】
【技術分野】
【０００１】
本発明は、情報端末間で情報を交換するための通信システム、情報端末、通信システムの通信方法、及び情報端末用通信プログラムに関する。
【背景技術】
【０００２】
近年、携帯電話機やPDA（Personal Digital Assistant）等の情報端末が急速に普及してきた。その結果、各ユーザは、近接した複数のこれらの機器の間の無線通信により、情報(ファイルやプロフィール情報等)を交換する機会が多くなっている。
【０００３】
このような情報交換は、赤外線送受信部を対面させて行われる無線通信、無線LAN（Local Area Network）やブルートゥース（登録商標）に代表される近接無線LAN、又は通信ネットワークを介した無線通信等により実行されている。
【０００４】
特許文献１には、表示手段と、電子機器が表示手段に近接されたことを検出する検出手段と、検出手段により検出した電子機器の識別情報を取得する取得手段と、検出手段により検出した電子機器との接続を確立する接続確立手段と、識別情報に基づいて、接続確立手段により接続が確立された電子機器と通信を行う通信手段とを有し、表示手段は、通信手段により受信した情報の内容を表示する情報処理装置が開示されている。
【０００５】
特許文献２には、電話回線又は通信ネットワークのうち少なくとも一方を情報伝達媒体とする、複数のコンピュータを備え、電話回線を介して複数の電話機間で通話が確立されたときに複数のコンピュータのうち、通話中の電話機を利用する通話者が並行して用いるコンピュータは、通話中の各電話機からの信号に応答して通話者間の予めの了解に基づいて指定のプログラムを実行し、一方の通話者が並行して用いる一方のコンピュータは一方の通話者の任意の選択乃至作成に基づく情報を生成して情報伝達媒体に任意の時点に送信し、他方の通話者が並行して用いる他方のコンピュータは、情報伝達媒体を介して一方のコンピュータからの情報を受信するプッシュ型情報通信システムが開示されている。
【先行技術文献】
【特許文献】
【０００６】
【特許文献１】特開２００９−０６５６６６号公報
【特許文献２】特開２０１１−０６６９１７号公報
【発明の概要】
【発明が解決しようとする課題】
【０００７】
情報機器間の通信においては、互いの連絡先(メールアドレス等)がわからない場合は、通常、事前に連絡先を交換しなければならず、この作業は、情報交換という目的に対しては余計な手間ということになる。また、情報交換の宛先となる情報端末の使用者が連絡先の交換を拒む場合は、情報交換自体が困難となる。更に、連絡先を把握している相手の場合でも、複数の連絡先を所有している相手の場合、目的の情報端末に情報を届けるための連絡先を特定する必要があり、この場合にも連絡先の確認が必要になる。
【０００８】
近接した情報端末間では、赤外線を利用した通信を行えば、赤外線送受信部を対向させて通信するため、連絡先の交換は必ずしも必要ではないが、赤外線送受信部を搭載している機種は限定されており、必ずしも互いの情報機器に搭載されているとは限らない。また、互いに対面する赤外線送受信部の間に人又は物体が入り赤外線が遮断されると通信できなくなるという問題がある。
【０００９】
特許文献１に開示されている発明の具体例としては、ブルートゥース（登録商標）対応の近接する機器間の通信がある。この場合、情報処理装置と電子機器とは、赤外線送受信部に該当するような特別のハードウェアを装備する必要はなく、例えばブルートゥース（登録商標）のＯＰＰプロファイルを使用することで互いの連絡先を交換することなく直接の情報交換が可能である。しかし情報交換に先立ち、ペアリングという情報処理装置と電子機器との間の接続を確立するための処理が必要になり、その分煩雑な手間がかかる。
【００１０】
特許文献２に開示されている発明では、電話機と通信ネットワーク等に接続されたコンピュータとを用いて通信ネットワーク等を介して情報交換を行うことが開示されており、事前に連絡先の交換をしなくてもコンピュータ間での情報交換が可能である。しかし、そのためにはコンピュータ以外に電話機が必要になるという問題点がある。
【００１１】
本発明は、上記の事情に鑑みてなされたものであり、ある情報端末から、近接する他の情報端末に送信対象の情報を送信する前に、送信相手の他の情報端末との間で行われる、メールアドレス等の個人情報に該当する、相手を特定するための特定情報を確認する等の通信のための事前処理を簡略化し、送信相手の他の情報端末との情報交換をすみやかに行うための通信システム、情報端末、通信システムの通信方法、及び情報端末用通信プログラムを提供することを目的とする。
【課題を解決するための手段】
【００１２】
前記の目的を達成するために、本願発明の第１の観点に係る通信システムは、通信ネットワーク上に設置されたサーバと、該サーバからのサービス提供を受ける対象として前記サーバに登録された該サーバと通信可能な第１の情報端末と、少なくとも１つの第２の情報端末とを含む通信システムであって、前記第１の情報端末は、第１の通信部と、前記第１の情報端末の動作を制御する第１の制御部と、を備え、該第１の制御部は、前記第１の通信部で受信した信号から、少なくとも１つの前記第２の情報端末から発信された該第２の情報端末を識別する識別情報を有する識別信号の受信の有無を検索し、該検索により検出された前記識別信号があるとき、該識別信号に含まれる前記識別情報を対象識別情報として取得する識別情報検索・取得部と、前記サーバからのサービス提供を受ける対象として前記サーバに登録された複数の情報端末の、それぞれに対する識別情報と前記複数の情報端末のそれぞれを特定する特定情報とを対応付けた情報である登録情報に、前記対象識別情報が含まれるかどうかの判定を行うとともに、前記対象識別情報が前記登録情報に含まれていると判定されたとき、含まれていると判定された前記対象識別情報及び該対象識別情報に前記登録情報で対応付けられた特定情報である対象特定情報を対象識別・特定情報として取得する特定情報取得部と、前記対象識別・特定情報の中から少なくとも１つの前記対象特定情報を指定特定情報として決定する特定情報決定部と、前記指定特定情報に対応付けられた前記対象識別情報を指定識別情報とし、前記指定識別情報と送信対象の情報とを含む端末送信情報を生成し、該端末送信情報を前記第１の通信部を介して前記サーバに送信する送信情報生成部と、を備え、前記サーバは、サーバ通信部と、前記サーバの動作を制御するサーバ制御部と、を備え、該サーバ制御部は、前記サーバ通信部を介して受信した前記端末送信情報に基づき、該端末送信情報に含まれる前記送信対象の情報を含む情報をサーバ送信情報として生成し、該サーバ送信情報を、前記端末送信情報に含まれる前記指定識別情報で識別される前記第２の情報端末に、前記サーバ通信部を介して送信するサーバ送信情報生成部を備え、前記第２の情報端末は、第２の通信部と、前記第２の情報端末の動作を制御する第２の制御部と、を備え、該第２の制御部は、前記識別信号を、前記第２の通信部を介して発信するとともに、前記第２の通信部で前記サーバ送信情報を受信した場合に、該サーバ送信情報から前記送信対象の情報を取得する、ことを特徴とする。
【００１３】
本願発明の第２の観点に係る情報端末は、通信ネットワーク上に設置されたサーバからのサービス提供を受ける対象として前記サーバに登録され、該サーバと通信可能な情報端末であって、通信部と、該通信部による情報の送受信と前記情報端末の動作を制御する制御部と、を備え、該制御部は、前記通信部で受信した信号から、前記サーバと通信可能な少なくとも１つの他の情報端末から発信された該他の情報端末を識別する識別情報を有する識別信号の受信の有無を検索し、該検索により検出された前記識別信号があるとき、該識別信号に含まれる前記識別情報を対象識別情報として取得する識別情報検索・取得部と、前記サーバからのサービス提供を受ける対象として前記サーバに登録された複数の情報端末の、それぞれに対する識別情報と前記複数の情報端末のそれぞれを特定する特定情報とを対応付けた情報である登録情報に、前記対象識別情報が含まれるかどうかの判定を行うとともに、前記対象識別情報が前記登録情報に含まれていると判定されたとき、含まれていると判定された前記対象識別情報及び該対象識別情報に前記登録情報で対応付けられた特定情報である対象特定情報を対象識別・特定情報として取得する特定情報取得部と、前記対象識別・特定情報の中から少なくとも１つの前記対象特定情報を指定特定情報として決定する特定情報決定部と、前記指定特定情報に対応付けられた前記対象識別情報を指定識別情報とし、該指定識別情報と送信対象の情報とを合わせて端末送信情報として生成し、該端末送信情報を前記第１の通信部を介して前記サーバに送信する送信情報生成部と、を備える、ことを特徴とする。
【００１４】
本願発明の第３の観点に係る通信システムの通信方法は、通信ネットワーク上に設置されたサーバと、該サーバからのサービス提供を受ける対象として前記サーバに登録された該サーバと通信可能な第１の情報端末と、少なくとも１つの第２の情報端末とを含む通信システムの通信方法であって、前記第２の情報端末が、該第２の情報端末を識別する識別情報を有する識別信号を発信する識別信号発信ステップと、前記第１の情報端末が、前記識別信号の受信の有無を検索する識別信号検索ステップと、該識別信号検索ステップで前記識別信号が検出されたとき、検出された前記識別信号に含まれる前記識別情報を対象識別情報として取得する識別情報取得ステップと、前記第１の情報端末が、前記サーバからのサービス提供を受ける対象として前記サーバに登録された複数の情報端末の、それぞれに対する識別情報と前記複数の情報端末のそれぞれを特定する特定情報とを対応付けた情報である登録情報に、前記対象識別情報が含まれるかどうかの判定を行う判定ステップと、該判定ステップで、前記対象識別情報が前記登録情報に含まれていると判定されたとき、前記第１の情報端末が、含まれていると判定された前記対象識別情報及び該対象識別情報に前記登録情報で対応付けられた特定情報である対象特定情報を対象識別・特定情報として、取得する特定情報取得ステップと、前記第１の情報端末が、前記対象識別・特定情報の中から少なくとも１つの前記対象特定情報を指定特定情報として決定する特定情報決定ステップと、前記第１の情報端末が、前記指定特定情報に対応付けられた前記対象識別情報を指定識別情報とし、該指定識別情報と送信対象の情報とを合わせて端末送信情報として生成し、該端末送信情報を前記第１の通信部を介して前記サーバに送信する送信情報生成ステップと、前記第１の情報端末が、前記端末送信情報を前記サーバに送信する送信情報送信ステップと、受信した前記端末送信情報に基づき、前記サーバが、該端末送信情報に含まれる前記送信対象の情報を含む情報をサーバ送信情報として生成するサーバ送信情報生成ステップと、前記サーバが、前記サーバ送信情報を、前記端末送信情報に含まれる前記指定識別情報で識別される前記第２の情報端末に送信するサーバ送信情報送信ステップと、前記第２の情報端末が、前記サーバ送信情報を受信した場合に、該サーバ送信情報から前記送信対象の情報を取得する送信対象情報取得ステップと、を備えることを特徴とする。
【００１５】
本願発明の第４の観点に係る情報端末用通信プログラムは、通信ネットワーク上に設置されたサーバと、該サーバからのサービス提供を受ける対象として前記サーバに登録された該サーバと通信可能な、コンピュータとしての機能を有する情報端末と、少なくとも１つの他の情報端末とを含む通信システムの前記情報端末に、前記少なくとも１つの他の情報端末から発信された該他の情報端末を識別する識別情報を含む識別信号の受信の有無を検索する識別信号検索ステップと、該識別信号検索ステップで前記識別信号が検出されたとき、検出された前記識別信号に含まれる前記識別情報を対象識別情報として取得する識別情報取得ステップと、前記サーバからのサービス提供を受ける対象として前記サーバに登録された複数の情報端末の、それぞれに対する識別情報と前記複数の情報端末のそれぞれを特定する特定情報とを対応付けた情報である登録情報に、前記対象識別情報が含まれるかどうかの判定を行う判定ステップと、該判定ステップで、前記対象識別情報が前記登録情報に含まれていると判定されたとき、含まれていると判定された前記対象識別情報及び該対象識別情報に前記登録情報で対応付けられた特定情報である対象特定情報を対象識別・特定情報として取得する特定情報取得ステップと、前記対象識別・特定情報の中から少なくとも１つの前記対象特定情報を指定特定情報として決定する特定情報決定ステップと、前記指定特定情報に対応付けられた、前記対象識別情報を指定識別情報とし、該指定識別情報と送信対象の情報とを合わせて端末送信情報として生成し、該端末送信情報を前記第１の通信部を介して前記サーバに送信する送信情報生成ステップと、前記端末送信情報を前記サーバに送信する送信情報送信ステップと、を実行させることを特徴とする。
【発明の効果】
【００１６】
本発明によれば、ある情報端末から、近接する他の情報端末に送信対象の情報を送信する前に、送信相手の他の情報端末との間で行われる、メールアドレス等の個人情報に該当する、相手を特定するための特定情報を確認する等の通信のための事前処理を簡略化し、送信相手の他の情報端末との情報交換をすみやかに行うための通信システム、情報端末、通信システムの通信方法、及び情報端末用通信プログラムを提供することができる。
【図面の簡単な説明】
【００１７】
【図１】本発明の実施形態１に係る通信システムの構成例を示すブロック図である。
【図２】実施形態１に係る登録情報の例を示す図である。
【図３】実施形態１に係る通信システムのコンピュータによる構成例を示すブロック図である。
【図４】実施形態１に係る通信システムの通信方法を示すフロー図である。
【図５】実施形態１に係る通信システムの第１の情報端末用通信プログラムを示すフロー図である。
【図６】実施形態１に係る通信システムのサーバ用通信プログラムを示すフロー図である。
【図７】実施形態１に係る通信システムの第２の情報端末用通信プログラムを示すフロー図である。
【図８】本発明の実施形態２に係る通信システムの構成例を示すブロック図である。
【図９】実施形態２に係る通信システムの通信方法Ａの説明用フロー図Ａ１である。
【図１０】実施形態２に係る通信システムの通信方法Ａの説明用フロー図Ａ２である。
【図１１】実施形態２に係る通信システムに対する第１の情報端末用通信プログラムＡを示すフロー図である。
【図１２】実施形態２に係る通信システムに対するサーバ用通信プログラムＡを示すフロー図である。
【図１３】本発明の実施形態３に係る通信システムの構成例を示すブロック図である。
【図１４】実施形態３に係る通信システムに対する第１の情報端末用通信プログラムＢを示すフロー図である。
【発明を実施するための形態】
【００１８】
（実施形態１）
図１に本発明の実施形態１に係る通信システムの構成例を示す。図１に示すように、通信システムは通信ネットワーク上に設置されたサーバ３と、サーバ３からのサービス提供を受ける対象として前記サーバ３に登録され、サーバ３と通信可能な第１の情報端末１と、少なくとも1台の第２の情報端末２と、を含んで構成される。図１では第２の情報端末２は1台しか示されていない。第１の情報端末１は第２の情報端末２の中から選択して決定された第２の情報端末との間で情報交換を行う。
【００１９】
第１の情報端末１及び第２の情報端末２は、いずれもブルートゥース（登録商標）対応の情報端末である場合を例に、第１の情報端末１から第２の情報端末２に情報を送信する場合について説明する。この場合、第１の情報端末１が近在の情報端末の存在を検索する側、第２の情報端末２が検索される側となる。第１の情報端末１は、検索により検出された少なくとも１台の第２の情報端末２の中から選択して決定された第２の情報端末２にサーバ３を介して情報を送信する。第２の情報端末２は、これを識別するための情報である識別情報を含む識別信号を発信し、第１の情報端末１はこの識別信号を受信することにより第２の情報端末２を送信対象機器の候補として検出する。識別情報とはＭＡＣアドレスなどの通信時に通信相手を識別するための情報である。
【００２０】
サーバ３は通信ネットワークに接続され、第１の情報端末１を含む登録された機器の情報（登録情報）を保有し、登録された機器と通信可能に接続されており、登録された機器相互の情報交換のサービスを提供する。登録情報は登録された機器を特定するための例えばユーザＩＤ等の情報である特定情報と、通信時に使用する登録された機器を識別するためのＭＡＣアドレス等の情報である識別情報とを対応づけたものである。
【００２１】
第１の情報端末１は、第１の通信部１０と第１の制御部１１を備える。第１の制御部１１は、識別情報検索・取得部１２、特定情報取得部１３、特定情報決定部１４、及び送信情報生成部１５を備える。
【００２２】
第２の情報端末２は、第２の通信部２０と第２の制御部２１とを備える。
【００２３】
サーバ３は、サーバ通信部３０とサーバ制御部３１とを備える。サーバ制御部３１は、サーバ送信情報生成部３２を備える。
【００２４】
第１の通信部１０は、送信部と受信部を備え、第２の通信部２０から発信される識別信号の受信と、サーバ通信部３０との間で各種情報の送受信を行う。
【００２５】
第１の制御部１１は、ＣＰＵ（Central Processing Unit）とＲＯＭ（Read Only Memory）、ＲＡＭ（Random Access Memory）等の内部メモリで構成され、第１の情報端末用通信プログラムを実行することにより、第１の情報端末１の通信に係る動作を制御する。第1の制御部１１が備える機能要素である識別情報検索・取得部１２、特定情報取得部１３、特定情報決定部１４、及び送信情報生成部１５も第１の情報端末用通信プログラムの実行によりその機能が実現される。なお、ＲＯＭは、フラッシュメモリ等の書き換え可能不揮発性メモリでも良い。ＲＡＭは、電源供給不要のフラッシュメモリ等の書き換え可能不揮発性メモリ、書き込み速度は比較的遅いがランダムアクセス性に優れたＮＯＲ型フラッシュメモリや、ＮＯＲ型より書き込み速度は比較的速いがブロック単位での読み書きが必要なＮＡＮＤ型フラッシュメモリ、でも良い。
【００２６】
識別情報検索・取得部１２は、第１の通信部１０を介して受信された信号から第２の情報端末２から発信された識別信号を検索し、検出すると共に、検出された識別信号があるとき、その識別信号に含まれる識別情報を対象識別情報として取得する。
【００２７】
特定情報取得部１３は、サーバ３に登録された複数の情報端末のそれぞれに対する識別情報と複数の情報端末のそれぞれを特定する特定情報とを対応付けた情報である登録情報に、識別情報検索・取得部１２で検出された対象識別情報が含まれるかどうかの判定を行うとともに、対象識別情報が登録情報に含まれていると判定されたとき、含まれていると判定された対象識別情報に登録情報で対応付けられた特定情報を対象特定情報とし、含まれていると判定された対象識別情報と合わせて対象識別・特定情報として取得する。特定情報とは、ユーザが通信相手を特定するために使用される情報で、ユーザＩＤ等が考えられるが、装置名等ユーザがより認識しやすい情報にして、容易に通信相手を特定できるようにしたものでも良い。
【００２８】
登録情報の例を図２に示す。図２に示す登録情報の例はユーザＩＤとＭＡＣアドレスとを対応付けたものである。
【００２９】
登録情報は基本的にはサーバ３が保有し、第1の情報端末１に送信することにより第1の情報端末で使用されるか、サーバ３で登録情報に基づく所定の処理を行った後、処理結果を第1の情報端末１に送信して、第1の情報端末で処理結果を利用する形で登録情報が使用される。具体的には後述する実施形態２及び３で説明する。実施形態１は実施形態２及び３の内容を包含する上位概念である。
【００３０】
特定情報決定部１４は、特定情報取得部１３で取得した対象識別・特定情報の中から少なくとも１つの対象特定情報を指定特定情報として決定する。この決定についての具体例は後述する実施形態２で示す。
【００３１】
送信情報生成部１５は、指定特定情報に対応付けられた対象識別情報を指定識別情報とし、指定識別情報と送信対象の情報とを含む端末送信情報を生成し、生成した端末送信情報を第１の通信部を介してサーバに送信する。送信対象の情報とは第１の情報端末１のユーザが、ある第２の情報端末２へ送信したいと希望している情報のことである。
【００３２】
第２の通信部２０は、送信部と受信部を備え、識別信号の発信と、サーバ通信部３０から第２の情報端末２に対して送信された情報があれば、これを受信する。
【００３３】
第２の制御部２１は、ＣＰＵ（Central Processing Unit）とＲＯＭ（Read Only Memory）、ＲＡＭ（Random Access Memory）等の内部メモリで構成され、第２の情報端末用通信プログラムを実行することにより、第２の情報端末２の通信に係る動作を制御し、第２の通信部２０を介して識別信号を発信するとともに、サーバ３から第２の情報端末２に対して送信されたサーバ送信情報（後述）を第２の通信部２０を介して受信し、サーバ送信情報に含まれる送信対象の情報を取得する。なお、ＲＯＭは、フラッシュメモリ等の書き換え可能不揮発性メモリでも良い。ＲＡＭはフラッシュメモリ等の書き換え可能不揮発性メモリでも良い。
【００３４】
サーバ通信部３０は、送信部と受信部を備え、第1の通信部１０及び所定の条件下で第２の通信部２０との間で情報の送受信を行う。所定の条件とは、第２の情報端末２が、端末送信情報に含まれる指定識別情報により識別される第２の情報端末２である場合である。
【００３５】
サーバ制御部３１は、ＣＰＵ（Central Processing Unit）とＲＯＭ（Read Only Memory）、ＲＡＭ（Random Access Memory）等の内部メモリで構成され、サーバ用通信プログラムを実行することにより、サーバ３の通信に係る動作を制御する。サーバ制御部３１が備える機能要素であるサーバ送信情報生成部３２もサーバ用通信プログラムの実行によりその機能が実現される。なお、ＲＯＭは、フラッシュメモリ等の書き換え可能不揮発性メモリでも良い。ＲＡＭはフラッシュメモリ等の書き換え可能不揮発性メモリでも良い。
【００３６】
サーバ送信情報生成部３２は、第１の情報端末１から送信されサーバ通信部３０で受信された端末送信情報から、送信対象の情報を抜き出してサーバ送信情報として生成し、端末送信情報に含まれている指定識別情報で識別される第２の情報端末に、サーバ送信情報を送信する。
【００３７】
図１に示す第１の情報端末１、第２の情報端末２、及びサーバ３を含む通信システムのハードウェア構成例を図３に示す。ハードウェア構成例とは具体的にはコンピュータとしての構成例である。図３（ａ）には第１の情報端末１の、図３（ｂ）には第２の情報端末２の、図３（ｃ）にはサーバ３の、それぞれコンピュータとしての構成例を示す。
【００３８】
第１の情報端末１は、図３（ａ）に示す通りＣＰＵ１００、内部メモリ１１０、外部メモリ１２０、通信装置１３０、入力装置１４０、出力装置１５０、及びこれらを接続するバス１６０で構成される。通信装置１３０は送信装置１３１と受信装置１３２とで構成される。内部メモリ１１０はＲＯＭやＲＡＭで構成される。なお、ＲＯＭは、フラッシュメモリ等の書き換え可能不揮発性メモリでも良い。ＲＡＭはフラッシュメモリ等の書き換え可能不揮発性メモリでも良い。外部メモリ１２０は半導体メモリ、ハードディスクメモリ、光ディスクメモリ等で構成される。図１に示す第１の情報端末１の構成各部との対応は次のとおりである。ＣＰＵ１００と内部メモリ１１０とは図１に示す第１の制御部１１に対応し、通信装置１３０は第１の通信部１０に対応している。外部メモリ１２０、入力装置１４０、出力装置１５０は図１では図示が省略されている。外部メモリ１２０には第１の情報端末用通信プログラムが格納されている。ＣＰＵ１００は外部メモリ１２０に格納されているこの通信プログラムを内部メモリ１１０の例えばＲＡＭに読みだして実行し、これにより第１の制御部１１の機能を実現する。この通信プログラムは外部メモリ１２０ではなく内部メモリ１１０の例えばＲＯＭに格納され、これを例えばＲＡＭに読みだして実行してもよい。その場合、外部メモリ１２０は省略できる。
【００３９】
第２の情報端末２は、図３（ｂ）に示す通りＣＰＵ２００、内部メモリ２１０、外部メモリ２２０、通信装置２３０、及びこれらを接続するバス２４０で構成される。通信装置２３０は送信装置２３１と受信装置２３２とで構成される。内部メモリ２１０はＲＯＭやＲＡＭで構成される。なお、ＲＯＭは、フラッシュメモリ等の書き換え可能不揮発性メモリでも良い。ＲＡＭはフラッシュメモリ等の書き換え可能不揮発性メモリでも良い。外部メモリ２２０は半導体メモリ、ハードディスクメモリ、光ディスクメモリ等で構成される。図１に示す第２の情報端末２の構成各部との対応は次のとおりである。ＣＰＵ２００と内部メモリ２１０とは図１に示す第２の制御部２１に対応し、通信装置２３０は第２の通信部２０に対応している。外部メモリ２２０は図１では省略されている。外部メモリ２２０には第２の情報端末用通信プログラムが格納されている。ＣＰＵ２００は外部メモリ２２０に格納されている通信プログラムを内部メモリ２１０の例えばＲＡＭに読みだして実行し、これにより第２の制御部２１の機能を実現する。この通信プログラムは外部メモリ２２０ではなく内部メモリ２１０の例えばＲＯＭに格納され、これを例えばＲＡＭに読みだして実行してもよい。その場合、外部メモリ２２０は省略できる。
【００４０】
サーバ３は、図３（ｃ）に示す通りＣＰＵ３００、内部メモリ３１０、外部メモリ３２０、通信装置３３０、及びこれらを接続するバス３４０で構成される。通信装置３３０は送信装置３３１と受信装置３３２とで構成される。内部メモリ３１０はＲＯＭやＲＡＭで構成される。なお、ＲＯＭは、フラッシュメモリ等の書き換え可能不揮発性メモリでも良い。ＲＡＭはフラッシュメモリ等の書き換え可能不揮発性メモリでも良い。外部メモリ３２０は半導体メモリ、ハードディスクメモリ、光ディスクメモリ等で構成される。図１に示すサーバ３の構成各部との対応は次のとおりである。ＣＰＵ３００と内部メモリ３１０とは図１に示すサーバ制御部３１に対応し、通信装置３３０はサーバ通信部３０に対応している。外部メモリ３２０は図１では省略されている。外部メモリ３２０にはサーバ用の通信プログラムが格納されている。ＣＰＵ３００は外部メモリ３２０に格納されている通信プログラムを内部メモリ３１０の例えばＲＡＭに読みだして実行し、これによりサーバ制御部３１の機能を実現する。この通信プログラムは外部メモリ３２０ではなく内部メモリ３１０の例えばＲＯＭに格納され、これを例えばＲＡＭに読みだして実行してもよい。その場合、外部メモリ３２０は省略できる。
【００４１】
図４は、この通信システムの通信方法を示すフロー図である。このフロー図に従ってこの通信システムの動作を説明する。
【００４２】
第２の情報端末２は、これを識別するための識別情報を有する識別信号を発信する（ステップＳ１）。第２の情報端末２は複数の場合もありうる。
【００４３】
第１の情報端末１の識別情報検索・取得部１２は、第１の通信部１０を介して受信した信号に第２の情報端末２から発信された識別信号が含まれているかどうか、すなわち識別信号を検知したかどうかを判断し（ステップＳ２）、識別信号を検知したとき（ステップＳ２；ＹＥＳ）は、識別信号に含まれる識別情報を対象識別情報として取得する（ステップＳ３）。第１の情報端末の近くに複数の第２の情報端末が存在する場合は、検知された識別信号も複数の場合がありうる。この検索はブルートゥース（登録商標）対応の機器で通常実施される方法に従って実行される。識別信号を検知しないとき（ステップＳ２；ＮＯ）は、この通信を終了する。
【００４４】
特定情報取得部１３は、サーバ３に登録された複数の情報端末のそれぞれに対する識別情報と複数の情報端末のそれぞれを特定する特定情報とを対応付けた情報である登録情報に、識別情報検索・取得部１２で検出された対象識別情報が含まれるかどうか（有るかどうか）の判定を行い（ステップＳ４）、対象識別情報が登録情報に含まれている（有る）と判定されたとき（ステップＳ４；ＹＥＳ）は、含まれていると判定された対象識別情報に登録情報で対応付けられた特定情報を対象特定情報とし、含まれていると判定された対象識別情報と合わせて対象識別・特定情報として取得する（ステップＳ５）。対象識別情報が登録情報に含まれていないと判定されたとき（ステップＳ４；ＮＯ）はこの通信を終了する。登録情報に対象識別情報が含まれているかどうかの判定の具体例については後述する実施形態２及び３で示す。
【００４５】
特定情報決定部１４は、取得された対象識別・特定情報の中から少なくとも１つの対象特定情報を指定特定情報として決定する（ステップＳ６）。この決定の具体例については後述する実施形態２で示す。
【００４６】
送信情報生成部１５は、決定された指定特定情報に対応付けられた対象識別情報を指定識別情報とし、指定識別情報と送信対象の情報とを含む端末送信情報を生成し（ステップＳ７）、生成した端末送信情報を第１の通信部１０を介してサーバ３に送信する（ステップＳ８）。
【００４７】
サーバ３は、第１の情報端末１から送信された端末送信情報を、サーバ通信部３０を介して受信する（ステップＳ９）。サーバ送信情報生成部３３は、受信した端末送信情報に含まれる送信対象の情報をサーバ送信情報として生成し（ステップＳ１０）、生成したサーバ送信情報を、端末送信情報に含まれる指定識別情報で識別される第２の情報端末２に、サーバ通信部３０を介して送信する（ステップＳ１１）。
【００４８】
指定識別情報で識別される第２の情報端末２は、サーバ３から送信されたサーバ送信情報を第２の通信部２０を介して受信し（ステップＳ１２）、第２の制御部２１は受信したサーバ送信情報から送信対象の情報を取得する（ステップＳ１３）。
【００４９】
以上説明したように、この通信システムにおいて、第１の情報端末１は、近接する第２の情報端末２に送信対象の情報を送信する前に、第２の情報端末２との間で通常行われる、メールアドレス等の個人情報に該当する、相手を特定するための特定情報を確認する等の通信のための事前処理を簡略化できる。従って、サーバ３を介して第２の情報端末２への情報送信をすみやかに行うことができる。
【００５０】
図４に示す通信方法をコンピュータにより実現するために、図３（ａ）に示すコンピュータとしての第１の情報端末１が実行する通信プログラムのフロー図の例を第１の情報端末用通信プログラムとして図５に示す。
【００５１】
第１の情報端末１の第１の制御部１１は情報の送信要請があるかどうか、すなわち送信対象の情報があるかどうかを判定する（ステップＳ１００）。送信要請がなければ（ステップＳ１００；ＮＯ）このプログラムを終了するかどうかを判定する（ステップＳ１８０）。この判定は例えば所定時間が経過したかどうか、電源をＯＦＦにしたかどうか、又は図３（ａ）に示す入力装置１４０（図１では図示していない。）からの終了を指示する入力があるかどうか等による。終了すると判定したとき（ステップＳ１８０；ＹＥＳ）はこのプログラムを終了する。終了しないと判定したとき（ステップＳ１８０；ＮＯ）はステップＳ１００に戻る。
【００５２】
一方、送信要請があれば（ステップＳ１００；ＹＥＳ）、識別情報検索・取得部１２は、識別信号を検出したかどうかを判定し（ステップＳ１１０）、識別信号を検知したとき（ステップＳ１１０；ＹＥＳ）は、識別信号に含まれる識別情報を対象識別情報として取得する（ステップＳ１２０）。ステップＳ１１０、Ｓ１２０はそれぞれ図４のステップＳ２、Ｓ３の処理内容と同じである。識別信号を検知しないとき（ステップＳ１１０；ＮＯ）は、ステップＳ１８０に移行する。
【００５３】
特定情報取得部１３は、サーバ３に登録された複数の情報端末のそれぞれに対する識別情報と複数の情報端末のそれぞれを特定する特定情報とを対応付けた情報である登録情報に、識別情報検索・取得部１２で検出された対象識別情報が含まれるかどうか（有るかどうか）の判定を行い（ステップＳ１３０）、対象識別情報が登録情報に含まれている（有る）と判定されたとき（ステップＳ１３０；ＹＥＳ）、含まれていると判定された対象識別情報に登録情報で対応付けられた特定情報を対象特定情報とし、含まれていると判定された対象識別情報を合わせて対象識別・特定情報として取得する（ステップＳ１４０）。具体例は実施形態２及び３で示す。ステップＳ１３０、Ｓ１４０はそれぞれ図４のステップＳ４、Ｓ５の処理内容と同じである。対象識別情報が登録情報に含まれていないと判定されたとき（ステップＳ１３０；ＮＯ）は、ステップＳ１８０に移行する。
【００５４】
特定情報決定部１４は、取得された対象識別・特定情報の中から少なくとも１つの対象特定情報を指定特定情報として決定する（ステップＳ１５０）。具体例は実施形態２で示す。ステップＳ１５０は図４のステップＳ６の処理内容と同じである。
【００５５】
送信情報生成部１５は、決定された指定特定情報に対応付けられた対象識別情報を指定識別情報とし、指定識別情報と送信対象の情報とを含む端末送信情報を生成し（ステップＳ１６０）、生成した端末送信情報を第１の通信部１０を介してサーバ３に送信する（ステップＳ１７０）。送信後はステップＳ１８０に移行する。ステップＳ１６０、Ｓ１７０はそれぞれ図４のステップＳ７、Ｓ８の処理内容と同じである。
【００５６】
図４に示す通信方法をコンピュータにより実現するために、図３（ｃ）に示すコンピュータとしてのサーバ３が実行する通信プログラムのフロー図をサーバ用通信プログラムとして図６に示す。
【００５７】
サーバ３のサーバ制御部３１は、第１の情報端末１から送信された端末送信情報を、サーバ通信部３０を介して受信したかどうかを判定する（ステップＳ２１０）。受信したと判定したとき（ステップＳ２１０；ＹＥＳ）は、サーバ送信情報生成部３３は、受信した端末送信情報に含まれる送信対象の情報をサーバ送信情報として生成し（ステップＳ２２０）、生成したサーバ送信情報を、端末送信情報に含まれる指定識別情報で識別される第２の情報端末２に、サーバ通信部３０を介して送信する（ステップＳ２３０）。受信していないと判断したとき（ステップＳ２１０；ＮＯ）、及びステップＳ２３０の終了後には、このプログラムを終了するかどうかを判定する（ステップＳ２４０）。この判定は例えば所定時間が経過したかどうか、電源をＯＦＦにしたかどうか、又はサーバ３が入力手段を有している場合（図１及び図３（ｃ）では図示していない。）は、この通信プログラムを終了する旨の入力がなされたかどうか等による。終了すると判定したとき（ステップＳ２４０；ＹＥＳ）はこのプログラムを終了する。終了しないと判定した時（ステップＳ２４０；ＮＯ）はステップＳ２１０に戻る。ステップＳ２１０、Ｓ２２０、Ｓ２３０はそれぞれ図４のステップＳ９、Ｓ１０、Ｓ１１の処理内容と同じである。
【００５８】
図４に示す通信方法をコンピュータにより実現するために、図３（ｂ）に示すコンピュータとしての第２の情報端末２が実行する通信プログラムのフロー図を第２の情報端末用通信プログラムとして図７に示す。
【００５９】
第２の情報端末２は、第２の情報端末２を識別するための識別情報を含む識別信号を生成し（ステップＳ３００）、発信する（ステップＳ３１０）。ステップＳ３１０は図４のステップＳ１の処理内容と同じである。この識別信号の生成は一度生成した後はこれを図示を省略した記憶部等に保存することにより読み出して使用することができる。
【００６０】
指定識別情報で識別される第２の情報端末２の第２の制御部２１は、サーバ３から送信されたサーバ送信情報を第２の通信部２０を介して受信したかどうかを判定し（ステップＳ３２０）、受信していれば（ステップＳ３２０；ＹＥＳ）、受信したサーバ送信情報から送信対象の情報を取得する（ステップＳ３３０）。送信対象の情報を取得した後は、このプログラムを終了するかどうかを判定する（ステップＳ３５０）。この判定は例えば所定時間が経過したかどうか、電源をＯＦＦにしたかどうか、又は入力手段（図１及び図３（ｂ）では図示していない。）を有している場合は、この通信プログラムを終了する旨の入力がなされたかどうか等による。終了すると判定したとき（ステップＳ３５０；ＹＥＳ）はこのプログラムを終了する。終了しないと判定した時（ステップＳ３５０；ＮＯ）はステップＳ３１０に戻る。一方、サーバ送信情報を受信していなければ（ステップＳ３２０；ＮＯ）、第２の制御部２１は、識別信号の発信から所定時間が経過したかどうかを判定し（ステップＳ３４０）、経過していなければ（ステップＳ３４０；ＮＯ）ステップＳ３２０に戻り、経過していれば（ステップＳ３４０；ＹＥＳ）、ステップＳ３５０に移行する。ステップＳ３２０、Ｓ３３０はそれぞれ図４のステップＳ１２、Ｓ１３の処理内容と同じである。
【００６１】
第１の情報端末用通信プログラムにより、第１の情報端末１は、近接する第２の情報端末２に送信対象の情報を送信する前に、第２の情報端末２との間で通常行われる、メールアドレス等の個人情報に該当する、相手を特定するための特定情報を確認する等の通信のための事前処理を簡略化できる。従って、サーバ３を介して第２の情報端末２への情報送信をすみやかに行うことができる。サーバ用通信プログラム及び第２の情報端末用通信プログラムは、第１の情報端末用通信プログラムが有する上記効果をサポートする。
【００６２】
（実施形態２）
次に、実施形態２に係る通信システムの構成例を図８に示す。図８に示す通信システムの構成例は図１に示す通信システムの構成をより具体的に示した通信システムの具体例Ａである。
【００６３】
図８に示す通信システムの具体例Ａの構成は図１に示す通信システムの構成に対して次の点が明示されている。第１の情報端末１は入力部１６と出力部１７を備える。サーバ３はサーバ記憶部３３を備え、サーバ３のサーバ制御部３１は応答生成部３４を更に備える。
【００６４】
入力部１６は、ユーザが情報を入力するための入力装置で、図３（ａ）に示す入力装置１４０がこれに対応する。入力部１６は、キーボード、タッチパネルなどで構成され、入力された情報を第１の制御部１１に送る。出力部１７は、ユーザに対して情報を出力するための出力装置で、図３（ａ）に示す出力装置１５０がこれに対応する。出力部１７は、プリンター、表示装置などで構成され、第１の制御部１１からの情報を出力する。
【００６５】
サーバ記憶部３３は、図３（ｃ）に示す外部メモリ３２０に対応し、登録情報を格納する。登録情報は、サーバ制御部３１により登録状況の変化に応じて適宜更新される。
【００６６】
応答生成部３４は、サーバ制御部３１の機能構成要素で、第１の情報端末１からサーバ３に対して送信された照会信号（後述）に対する応答として応答情報を生成する。
【００６７】
次に図８に示す通信システムの動作及び通信方法について図８と図９に従って説明する。図９は図８に示した通信システムの具体例Ａに対する通信方法Ａの説明用フロー図Ａ１で、図４に示すフロー図の中のステップＳ４の内容詳細を示す。図１０は図８に示した通信システムの具体例Ａに対する通信方法Ａの説明用フロー図Ａ２で、図４に示すフロー図の中のステップＳ６の内容詳細を示す。通信方法Ａは、ステップＳ４、Ｓ６以外は図４に示すとおりなので、その説明を省略し、ステップＳ４とＳ６についてのみ以下で説明する。
【００６８】
ステップＳ３の処理の後、第１の情報端末１の特定情報取得部１３は、ステップＳ４の一環として、第１の通信部１０を介してサーバ３に対して登録情報に関する照会信号（詳細は後述）を送信する（ステップＳ４０）。
【００６９】
サーバ３のサーバ制御部３１はサーバ通信部３０を介してこの照会信号を受信する（ステップＳ４１）。サーバ３の応答生成部３４は、サーバ記憶部３３に記憶されている登録情報を読み出し、読み出した登録情報に基づき、この照会信号に対する応答である応答情報を生成し（ステップＳ４２）、生成した応答情報を、サーバ通信部３０を介して第１の情報端末１に送信する（ステップＳ４３）。
【００７０】
第１の情報端末１の特定情報取得部１３は、サーバ３から送信された応答情報を第１の通信部１０を介して受信し（ステップＳ４４）、受信した応答情報に基づき、対象識別情報が登録情報に含まれている（有る）かどうか判別する（ステップＳ４５）。対象識別情報が登録情報に含まれている場合（ステップＳ４５；ＹＥＳ）は図４のステップＳ５に移行し、含まれていない場合（ステップＳ４５；ＮＯ）は、この送信対象の情報の通信については終了する。
【００７１】
照会信号の一例として、例えば登録情報を第１の情報端末に送信するよう要請する照会信号が考えられる。このときの応答情報は登録情報そのものとなる。
【００７２】
すなわち、サーバ３の応答生成部３４は、サーバ記憶部３３に記憶されている登録情報を読み出し、これを応答情報とする。このとき第１の情報端末１の特定情報取得部１３は、第１の通信部１０を介して受信した応答情報、すなわち登録情報に基づき、登録情報に対象識別情報が有るかどうかの判定を行う（ステップＳ４５）。このとき図４のステップＳ５では、特定情報取得部１３は、ステップＳ４５で登録情報に有ると判定された対象識別情報に登録情報で対応付けられた特定情報を対象特定情報として、登録情報に有ると判定された対象識別情報と対応付けて対象識別・特定情報として取得する。
【００７３】
照会信号の他の例として、照会信号は対象識別情報を含み、当該対象識別情報が登録情報に含まれているかどうかという照会結果と、照会結果が「含まれている」というものである場合は、含まれていると判定された対象識別情報に登録情報で対応付けられた特定情報を対象特定情報とし、含まれていると判定された対象識別情報と対応付けて送信するようサーバ３に要請するものとすることができる。このときの応答情報は、照会信号に含められた対象識別情報が登録情報に含まれているかどうかというサーバ３による判定結果（サーバ判定結果）と、サーバ判定結果が「含まれている」というものである場合は、登録情報に含まれている対象識別情報に対応する特定情報を対象特定情報として、この対象特定情報とこれに対応する対象識別情報とを含む。
【００７４】
このとき、サーバ３の応答生成部３４は、サーバ記憶部３３に記憶されている登録情報を読み出し、照会信号に含まれる対象識別情報がこの登録情報に含まれているかどうかを判定し、サーバ判定結果を得ると共に、サーバ判定結果が「含まれている」というものである場合は、登録情報に含まれている対象識別情報とこれに対応する対象特定情報とを取得する。応答生成部３４は、サーバ判定結果と、取得した対象特定情報と、これに対応付けられた対象識別情報とを含む応答情報を生成する（ステップＳ４２）。このときステップＳ４５では、第１の情報端末１の特定情報取得部１３は、第１の通信部１０を介して受信した応答情報に含まれるサーバ判定結果が「含まれる（有り）」か「含まれない（無し）」かに基づき、判定を行い、図４のステップＳ５では、特定情報取得部１３は、応答情報に含まれる対象識別情報とこれに対応付けられた対象特定情報とをそのまま第１の情報端末１における対象識別・特定情報として取得する。
【００７５】
次に、ステップＳ５の処理の後、第１の情報端末１の特定情報決定部１４は、ステップＳ６の一環として、出力部１７、例えば表示装置等にステップＳ５で取得した対象識別・特定情報を出力する（ステップＳ６０）。第１の情報端末１のユーザは出力された対象識別・特定情報の中の対象特定情報の中から、送信対象の情報を送信することを希望する相手の対象特定情報を選択し、入力部１６から選択した対象特定情報を入力することにより、入力された対象特定情報が指定特定情報として決定される（ステップＳ６１）。
【００７６】
入力部１６は出力部１７をタッチパネル方式の表示装置にして表示装置の画面をタッチすることにより情報を入力するようにすれば出力部１７は入力部１６を兼ねることができる。入力部１６はこのような場合も含む。
【００７７】
以上の動作及び通信方法により、この通信システムにおいて、第１の情報端末１は、近接する第２の情報端末２に送信対象の情報を送信する前に、第２の情報端末２との間で通常行われる、メールアドレス等の個人情報に該当する、相手を特定するための特定情報を確認する等の通信のための事前処理を簡略化できる。従って、サーバ３を介して第２の情報端末２への情報送信をすみやかに行うことができる。
【００７８】
図４、図９、及び図１０に示すフロー図により示される通信方法をコンピュータにより実現するために、図３（ａ）に示すコンピュータとしての第１の情報端末１が実行する通信プログラムのフロー図を第１の情報端末用通信プログラムＡとして図１１に示す。
【００７９】
図１１に示すフロー図は、図５に示すフロー図を図９及び図１０に基づきより具体化したものであり、図５に示すステップＳ１３０及びＳ１５０の処理内容をそれぞれ詳細に示したステップＳ１３１からＳ１３４、及びステップＳ１５１とＳ１５２で置き換えたものである。他のステップに係る処理は図６の同じステップ番号の処理と同じである。
【００８０】
ステップＳ１３１、Ｓ１３３の処理内容は、それぞれ図９のステップＳ４０、Ｓ４５の処理内容にそれぞれ対応するので説明を省略する。図１１のステップＳ１３２及びＳ１３４は図９のステップＳ４４の処理内容を踏襲しつつプログラムとしての処理を考慮して修正されている。すなわち、図９のステップＳ４４では、第１の情報端末１の特定情報取得部１３は、サーバ３から送信された応答情報を第１の通信部１０を介して受信するとしているが、図１１では、特定情報取得部１３は、第１の通信部１０を介して応答情報を受信したかどうかを判定する（ステップＳ１３２）。ＣＰＵに内蔵されるタイマを利用して、照会信号を送信したときからの経過時間を計測し、応答情報を受信していなければ（ステップＳ１３２；ＮＯ）計測した経過時間が所定時間を経過したかどうかを判定する（ステップＳ１３４）。所定時間を経過したとき（ステップＳ１３４；ＹＥＳ）は、サーバ３側に何か問題が発生したとしてプログラムを終了させるかどうかを判定する（ステップＳ１８０）。この判定は既に説明したとおりである。経過時間が所定時間を経過していない場合（ステップＳ１３４；ＮＯ）は所定時間の経過まで照会信号の受信を待つ（ステップＳ１３２に戻る）。
【００８１】
図４、図９、及び図１０に示すフロー図により示される通信方法をコンピュータにより実現するために、図３（ｃ）に示すコンピュータとしてのサーバ３が実行する通信プログラムのフロー図をサーバ用通信プログラムＡとして図１２に示す。
【００８２】
図１２に示すフロー図は、図６に示すフロー図を図９及び図１０に基づき、より具体化したものであり、図６に示すステップＳ２１０の処理に先立つ処理としてステップＳ２００からＳ２０２を明示した。他のステップに係る処理は図６の同じステップ番号の処理と同じである。
【００８３】
ステップＳ２０１、Ｓ２０２の処理内容は、それぞれ図９のステップＳ４２、Ｓ４３の処理内容に対応するので説明を省略する。図１２のステップＳ２００は図９のステップＳ４１の処理内容を踏襲しつつプログラムとしての処理を考慮して修正されている。すなわち、図９のステップＳ４１では、サーバ３の応答生成部３４は、第１の情報端末１から送信された照会信号をサーバ通信部３０を介して受信するとしているが、図１２では、応答生成部３４は、サーバ通信部３０を介して照会信号を受信したかどうかを判定する（ステップＳ２００）。照会信号を受信していれば（ステップＳ２００；ＹＥＳ）ステップＳ２０１に移行し、受信していなければ（ステップＳ２００；ＮＯ）受信を待つ（ステップＳ２００に戻る）。
【００８４】
図４、図９、及び図１０に示すフロー図により示される通信方法をコンピュータにより実現するために、図３（ｂ）に示すコンピュータとしての第２の情報端末２が実行する通信プログラムのフロー図は図７に示すものと同じである。
【００８５】
第１の情報端末用通信プログラムにより、第１の情報端末１は、近接する第２の情報端末２に送信対象の情報を送信する前に、第２の情報端末２との間で通常行われる、メールアドレス等の個人情報に該当する、相手を特定するための特定情報を確認する等の通信のための事前処理を簡略化できる。従って、サーバ３を介して第２の情報端末２への情報送信をすみやかに行うことができる。サーバ用通信プログラム及び第２の情報端末用通信プログラムは、第１の情報端末用通信プログラムが有する上記効果をサポートする。
【００８６】
（実施形態３）
次に、実施形態３に係る通信システムの構成例を図１３に示す。図１３に示す通信システムの構成例は図１に示す通信システムの構成をより具体的に示した通信システムの具体例Ｂである。
【００８７】
図１３に示す通信システムの具体例Ｂの構成は図１に示す通信システムの構成に対して次の点が明示されている。第１の情報端末１は入力部１６と出力部１７と第１の記憶部１８とを備える。サーバ３はサーバ記憶部３３を備える。入力部１６、出力部１７、サーバ記憶部３３については既に説明したとおりなのでその説明を省略する。
【００８８】
第１の記憶部１８は、図３（ａ）に示す外部メモリ１２０に対応し、登録情報を格納する。この登録情報は基本的にはサーバ３のサーバ記憶部３３に格納されており、登録状況の変化に応じて適宜更新される。そのため第１の記憶部１８に格納されている登録情報はサーバ３からの送信により適宜更新される。
【００８９】
図１３に示す通信システムの具体例Ｂの動作についてはこの通信システムの通信方法に基づき説明する。図１３に示す通信システムの具体例Ｂに対する通信方法は、図４に示す方法と同じである。補足説明すると、図４に示すフロー図の中のステップＳ４の処理で、特定情報取得部１３は、第１の記憶部１８に格納された登録情報を読み出し、識別情報検索・取得部１２で検出された対象識別情報が含まれるかどうか（有るかどうか）の判定を行い、対象識別情報が登録情報に含まれている（有る）と判定されたとき（ステップＳ４；ＹＥＳ）は、含まれていると判定された対象識別情報及びその対象識別情報に登録情報で対応付けられた特定情報を対象特定情報とし、両者を合わせて対象識別・特定情報として取得する（ステップＳ５）。対象識別情報が登録情報に含まれていないと判定されたとき（ステップＳ４；ＮＯ）はこの通信を終了する。
【００９０】
なお、図４のステップＳ６の処理内容の詳細については、例えば実施形態２の図１０で示した処理をそのまま踏襲することができる。
【００９１】
このように、第１の情報端末１が登録情報を保有することにより、簡便に対象識別・特定情報を取得することができる。従って、この通信システムにおいて、第１の情報端末１は、近接する第２の情報端末２に送信対象の情報を送信する前に、第２の情報端末２との間で通常行われる、メールアドレス等の個人情報に該当する、相手を特定するための特定情報を確認する等の通信のための事前処理をより簡略化することができる。従って、サーバ３を介して第２の情報端末２への情報送信をすみやかに行うことができる。
【００９２】
以上の通信方法をコンピュータにより実現するために、図３（ａ）〜（ｃ）に示すコンピュータとしての第１の情報端末１、第２の情報端末２、サーバ３がそれぞれ実行する第１の情報端末用通信プログラム、第２の情報端末用通信プログラム、サーバ用通信プログラムは、それぞれ基本的には図５〜７に示すフロー図のようになり、これに図４のステップＳ４に関して上記補足した点を追加すればよい。すなわち、図５のステップＳ１３０の処理は第１の記憶部１８に格納されている登録情報を読み出して行われるとすれば、図５〜７のフロー図はそのまま実施の形態３のそれぞれの通信プログラムを示すフロー図となる。
【００９３】
第１の情報端末用通信プログラムにより、第１の情報端末１は、近接する第２の情報端末２に送信対象の情報を送信する前に、第２の情報端末２との間で通常行われる、メールアドレス等の個人情報に該当する、相手を特定するための特定情報を確認する等の通信のための事前処理を簡略化できる。従って、サーバ３を介して第２の情報端末２への情報送信をすみやかに行うことができる。サーバ用通信プログラム及び第２の情報端末用通信プログラムは、第１の情報端末用通信プログラムが有する上記効果をサポートする。
【００９４】
変形例として、識別情報検索・取得部１２は第１の通信部１０を介して識別信号を検索する際に、識別信号の信号強度も併せて取得し、特定情報取得部１３は、対象識別・特定情報を出力する際に、対象識別情報を取得するときの対応する識別信号の信号強度順に配列させて出力（又は表示）するか、対象識別情報とこれに対応する対象特定情報とに加えて対応する識別信号強度を出力する。通信方法については、図１０のステップＳ６０で上記処理を行う。また、第１の情報端末用通信プログラムについては、図１１、図１４のステップＳ１５１で上記処理を行う。
【００９５】
このような形で対象識別・特定情報を出力することで、第１の情報端末１のユーザは、識別信号強度を勘案して、より簡便に、より適切に通信相手としての第２の情報端末２を選択指定することができる。そのため、この通信システム、第１の情報端末１、通信方法、及び第１の情報端末用通信プログラムによれば、より簡便にこれまで説明してきた効果を奏することができる。
【００９６】
これまで説明した通信システムの第１の情報端末１と第２の情報端末２とはその構成が異なっていたが、同じ構成にし、その構成はこれまで説明した双方の構成を合わせたものとする。これにより、第１の情報端末１と第２の情報端末２とは送信対象の情報の送信側、受信側のどちらにもなりうる。すなわち両情報端末は情報の送受信について双方向性を有することができ、それぞれの情報端末がこれまで説明した効果を奏することができる。
【００９７】
これまで情報端末はブルートゥース（登録商標）対応の機器であるとして説明したが、これに限定されない。ブルートゥース（登録商標）以外の、近距離通信規格（例えばＵＷＢ（Ultra Wide Band）、Ｚ−Ｗａｖｅ（登録商標）、ＺｉｇＢｅｅ（登録商標）などの通信規格）に対応した機器で、その装置の識別情報を発信するものであればいずれもこれまで説明した通信システム及び情報端末の構成、通信方法、情報端末用通信プログラムと同様の通信システム及び情報端末の構成、通信方法、情報端末用通信プログラムにより同様の効果を奏することができる。
【００９８】
これまで説明した情報端末は、近距離通信機能を備える、携帯電話、スマートフォン、ゲーム機、タブレットＰＣ（Personal Computer）、ノート型ＰＣ、ＰＤＡ（Personal Data Assistants）等を含む。
【００９９】
上記の実施形態の一部又は全部は、以下の付記のようにも記載されうるが、以下には限られない。
【０１００】
（付記１）
通信ネットワーク上に設置されたサーバと、該サーバからのサービス提供を受ける対象として前記サーバに登録された該サーバと通信可能な第１の情報端末と、少なくとも１つの第２の情報端末とを含む通信システムであって、
前記第１の情報端末は、
第１の通信部と、
前記第１の情報端末の動作を制御する第１の制御部と、を備え、
該第１の制御部は、
前記第１の通信部で受信した信号から、少なくとも１つの前記第２の情報端末から発信された該第２の情報端末を識別する識別情報を有する識別信号の受信の有無を検索し、該検索により検出された前記識別信号があるとき、該識別信号に含まれる前記識別情報を対象識別情報として取得する識別情報検索・取得部と、
前記サーバからのサービス提供を受ける対象として前記サーバに登録された複数の情報端末の、それぞれに対する識別情報と前記複数の情報端末のそれぞれを特定する特定情報とを対応付けた情報である登録情報に、前記対象識別情報が含まれるかどうかの判定を行うとともに、前記対象識別情報が前記登録情報に含まれていると判定されたとき、含まれていると判定された前記対象識別情報及び該対象識別情報に前記登録情報で対応付けられた特定情報である対象特定情報を対象識別・特定情報として取得する特定情報取得部と、
前記対象識別・特定情報の中から少なくとも１つの前記対象特定情報を指定特定情報として決定する特定情報決定部と、
前記指定特定情報に対応付けられた前記対象識別情報を指定識別情報とし、前記指定識別情報と送信対象の情報とを含む端末送信情報を生成し、該端末送信情報を前記第１の通信部を介して前記サーバに送信する送信情報生成部と、を備え
前記サーバは、
サーバ通信部と、
前記サーバの動作を制御するサーバ制御部と、を備え、
該サーバ制御部は、
前記サーバ通信部を介して受信した前記端末送信情報に基づき、該端末送信情報に含まれる前記送信対象の情報を含む情報をサーバ送信情報として生成し、該サーバ送信情報を、前記端末送信情報に含まれる前記指定識別情報で識別される前記第２の情報端末に、前記サーバ通信部を介して送信するサーバ送信情報生成部を備え、
前記第２の情報端末は、
第２の通信部と、
前記第２の情報端末の動作を制御する第２の制御部と、を備え、
該第２の制御部は、
前記識別信号を、前記第２の通信部を介して発信するとともに、前記第２の通信部で前記サーバ送信情報を受信した場合に、該サーバ送信情報から前記送信対象の情報を取得する、
ことを特徴とする通信システム。
【０１０１】
（付記２）
前記サーバは、
前記登録情報を格納するサーバ記憶部を備え、
前記サーバ制御部は、
前記サーバ通信部を介して受信した前記第１の情報端末からの、前記登録情報に関する照会信号に対する応答として、前記サーバ記憶部に記憶されている前記登録情報に基づき、応答情報を生成し、前記サーバ通信部を介して前記第１の情報端末に送信する応答生成部を備え、
前記特定情報取得部は、前記第１の通信部を介して前記照会信号を送信し、前記第１の通信部を介して受信した前記応答情報に基づき、前記判定を行うと共に、前記対象識別・特定情報を取得する、
ことを特徴とする付記１に記載の通信システム。
【０１０２】
（付記３）
前記応答情報は、前記登録情報を含み、
前記特定情報取得部は、前記応答情報に含まれる前記登録情報に基づき、前記判定を行うと共に、前記対象識別・特定情報を取得する、
ことを特徴とする付記２に記載の通信システム。
【０１０３】
（付記４）
前記照会信号は前記対象識別情報を含み、
前記応答生成部は、前記サーバが保有する前記登録情報に基づき、前記サーバが受信した前記照会信号に含まれる前記対象識別情報が、前記登録情報に含まれているか否かを判定し、該判定の結果であるサーバ判定結果と、該サーバ判定結果が、前記対象識別情報が前記登録情報に含まれているというものである場合、前記登録情報に含まれる前記対象識別情報及び該対象識別情報に対応付けられた特定情報である対象特定情報と、を含めて前記応答情報として生成し、
前記特定情報取得部は、受信した前記応答情報に含まれる前記サーバ判定結果に基づき、前記判定を行うとともに、前記応答情報に含まれる、前記対象識別情報及び前記対象特定情報を前記対象識別・特定情報として取得する、
ことを特徴とする付記２に記載の通信システム。
【０１０４】
（付記５）
前記第１の情報端末は、
前記登録情報を格納する第１の記憶部を備え、
前記特定情報取得部は、前記第１の記憶部から前記登録情報を読み出し、該登録情報に基づき前記判定を行うと共に、前記対象識別・特定情報を取得する、
ことを特徴とする付記１に記載の通信システム。
【０１０５】
（付記６）
前記第１の情報端末は、
前記対象識別・特定情報を出力する出力部と、
入力部と、を備え、
前記特定情報取得部は、前記対象識別・特定情報を、前記出力部を介して出力し、
前記特定情報決定部は、前記出力部に出力された前記対象識別・特定情報の中から選択して前記入力部に入力された少なくとも１つの対象特定情報を前記指定特定情報として決定する、
ことを特徴とする付記１乃至５のいずれか１つに記載の通信システム。
【０１０６】
（付記７）
前記識別情報検索・取得部は、検出された前記識別信号毎に、その信号強度を取得し、
前記特定情報取得部は、前記対象識別・特定情報に含まれる前記対象識別情報に対応する前記識別信号の信号強度順に前記対象識別・特定情報を配列して前記出力部を介して出力する、
ことを特徴とする付記６に記載の通信システム。
【０１０７】
（付記８）
通信ネットワーク上に設置されたサーバからのサービス提供を受ける対象として前記サーバに登録され、該サーバと通信可能な情報端末であって、
通信部と、
該通信部による情報の送受信と前記情報端末の動作を制御する制御部と、を備え、
該制御部は、
前記通信部で受信した信号から、前記サーバと通信可能な少なくとも１つの他の情報端末から発信された該他の情報端末を識別する識別情報を有する識別信号の受信の有無を検索し、該検索により検出された前記識別信号があるとき、該識別信号に含まれる前記識別情報を対象識別情報として取得する識別情報検索・取得部と、
前記サーバからのサービス提供を受ける対象として前記サーバに登録された複数の情報端末の、それぞれに対する識別情報と前記複数の情報端末のそれぞれを特定する特定情報とを対応付けた情報である登録情報に、前記対象識別情報が含まれるかどうかの判定を行うとともに、前記対象識別情報が前記登録情報に含まれていると判定されたとき、含まれていると判定された前記対象識別情報及び該対象識別情報に前記登録情報で対応付けられた特定情報である対象特定情報を対象識別・特定情報として取得する特定情報取得部と、
前記対象識別・特定情報の中から少なくとも１つの前記対象特定情報を指定特定情報として決定する特定情報決定部と、
前記指定特定情報に対応付けられた前記対象識別情報を指定識別情報とし、該指定識別情報と送信対象の情報とを合わせて端末送信情報として生成し、該端末送信情報を前記第１の通信部を介して前記サーバに送信する送信情報生成部と、を備える、
ことを特徴とする情報端末。
【０１０８】
（付記９）
前記特定情報取得部は、前記通信部を介して前記登録情報に関する照会信号を前記サーバに送信し、前記サーバから送信され、前記通信部を介して受信した前記照会信号に対する応答である応答情報に基づき、前記判定を行うと共に、前記対象識別・特定情報を取得する、
ことを特徴とする付記８に記載の情報端末。
【０１０９】
（付記１０）
通信ネットワーク上に設置されたサーバであって、
サーバ通信部と、
前記サーバの動作を制御するサーバ制御部と、
前記サーバからのサービス提供を受ける対象として前記サーバに登録された複数の情報端末の、それぞれに対する識別情報と前記複数の情報端末のそれぞれを特定する特定情報とを対応付けた情報である登録情報を格納するサーバ記憶部と、を備え、
前記サーバ制御部は、
前記サーバに登録され、該サーバと通信可能な情報端末から受信した、前記登録情報に関する照会信号に対する応答として、前記登録情報に基づき応答情報を生成し、該応答情報を前記情報端末に送信する応答生成部と、
前記応答情報に基づき前記情報端末で生成、送信され、前記サーバ通信部を介して受信された端末送信情報に基づき、該端末送信情報に含まれる送信対象の情報を含むサーバ送信情報を生成し、該サーバ送信情報を、前記端末送信情報に含まれる識別情報で識別される、前記送信対象の情報の送信先である前記他の情報端末に、前記サーバ通信部を介して送信するサーバ送信情報生成部を備える、
ことを特徴とするサーバ。
【０１１０】
（付記１１）
通信ネットワーク上に設置されたサーバと、該サーバからのサービス提供を受ける対象として前記サーバに登録された該サーバと通信可能な第１の情報端末と、少なくとも１つの第２の情報端末とを含む通信システムの通信方法であって、
前記第２の情報端末が、該第２の情報端末を識別する識別情報を有する識別信号を発信する識別信号送信ステップと、
前記第１の情報端末が、前記識別信号の受信の有無を検索する識別信号検索ステップと、
該識別信号検索ステップで前記識別信号が検出されたとき、検出された前記識別信号に含まれる前記識別情報を対象識別情報として取得する識別情報取得ステップと、
前記第１の情報端末が、前記サーバからのサービス提供を受ける対象として前記サーバに登録された複数の情報端末の、それぞれに対する識別情報と前記複数の情報端末のそれぞれを特定する特定情報とを対応付けた情報である登録情報に、前記対象識別情報が含まれるかどうかの判定を行う判定ステップと、
該判定ステップで、前記対象識別情報が前記登録情報に含まれていると判定されたとき、前記第１の情報端末が、含まれていると判定された前記対象識別情報及び該対象識別情報に前記登録情報で対応付けられた特定情報である対象特定情報を対象識別・特定情報として、取得する特定情報取得ステップと、
前記第１の情報端末が、前記対象識別・特定情報の中から少なくとも１つの前記対象特定情報を指定特定情報として決定する特定情報決定ステップと、
前記第１の情報端末が、前記指定特定情報に対応付けられた前記対象識別情報を指定識別情報とし、該指定識別情報と送信対象の情報とを合わせて端末送信情報として生成し、該端末送信情報を前記第１の通信部を介して前記サーバに送信する送信情報生成ステップと、
前記第１の情報端末が、前記端末送信情報を前記サーバに送信する送信情報送信ステップと、
受信した前記端末送信情報に基づき、前記サーバが、該端末送信情報に含まれる前記送信対象の情報を含む情報をサーバ送信情報として生成するサーバ送信情報生成ステップと、
前記サーバが、前記サーバ送信情報を、前記端末送信情報に含まれる前記指定識別情報で識別される前記第２の情報端末に送信するサーバ送信情報送信ステップと、
前記第２の情報端末が、前記サーバ送信情報を受信した場合に、該サーバ送信情報から前記送信対象の情報を取得する送信対象情報取得ステップと、
を備えることを特徴とする通信システムの通信方法。
【０１１１】
（付記１２）
通信ネットワーク上に設置されたサーバと、該サーバからのサービス提供を受ける対象として前記サーバに登録された該サーバと通信可能な、コンピュータとしての機能を有する情報端末と、少なくとも１つの他の情報端末とを含む通信システムの前記情報端末に、
前記少なくとも１つの他の情報端末から発信された該他の情報端末を識別する識別情報を含む識別信号の受信の有無を検索する識別信号検索ステップと、
該識別信号検索ステップで前記識別信号が検出されたとき、検出された前記識別信号に含まれる前記識別情報を対象識別情報として取得する識別情報取得ステップと、
前記サーバからのサービス提供を受ける対象として前記サーバに登録された複数の情報端末の、それぞれに対する識別情報と前記複数の情報端末のそれぞれを特定する特定情報とを対応付けた情報である登録情報に、前記対象識別情報が含まれるかどうかの判定を行う判定ステップと、
該判定ステップで、前記対象識別情報が前記登録情報に含まれていると判定されたとき、含まれていると判定された前記対象識別情報及び該対象識別情報に前記登録情報で対応付けられた特定情報である対象特定情報を対象識別・特定情報として取得する特定情報取得ステップと、
前記対象識別・特定情報の中から少なくとも１つの前記対象特定情報を指定特定情報として決定する特定情報決定ステップと、
前記指定特定情報に対応付けられた、前記対象識別情報を指定識別情報とし、該指定識別情報と送信対象の情報とを合わせて端末送信情報として生成し、該端末送信情報を前記第１の通信部を介して前記サーバに送信する送信情報生成ステップと、
前記端末送信情報を前記サーバに送信する送信情報送信ステップと、
を実行させることを特徴とする情報端末用通信プログラム。
【０１１２】
（付記１３）
前記判定ステップでは、前記登録情報に関する照会信号を前記サーバに送信し、該サーバから受信した前記照会信号に対する応答である応答情報に基づき前記判定を行い、
前記特定情報取得ステップでは、前記応答情報に基づき、前記対象識別・特定情報を取得する、
ことを特徴とする付記１２に記載の情報端末用通信プログラム。
【０１１３】
（付記１４）
通信ネットワーク上に設置され、コンピュータとしての機能を有し、サービス提供を受ける対象として登録された複数の情報端末のそれぞれに対する識別情報と前記複数の情報端末のそれぞれを特定する特定情報とを対応付けた情報である登録情報を保有するサーバと、前記登録情報に含まれ、前記サーバと通信可能な情報端末と、少なくとも１つの他の情報端末とを含む通信システムの前記サーバに、
前記情報端末から受信した前記登録情報に関する照会信号に対する応答として、前記関登録情報に基づき応答情報を生成する応答生成ステップと、
前記応答情報を前記情報端末に送信する応答送信ステップと、
前記応答情報に基づき前記情報端末で生成、送信され、前記サーバで受信された、前記他の情報端末を識別する識別情報と送信対象の情報とを含む端末送信情報に基づき、該端末送信情報に含まれる前記送信対象の情報を含むサーバ送信情報を生成するサーバ送信情報生成ステップと、
前記サーバ送信情報を、前記端末送信情報に含まれる前記識別情報で識別される、前記送信対象の情報の送信先である前記他の情報端末に送信するサーバ送信情報送信ステップと、
を実行させることを特徴とするサーバ用通信プログラム。
【符号の説明】
【０１１４】
１        第１の情報端末
２        第２の情報端末
３        サーバ
１０      第１の通信部
１１      第１の制御部
１２      識別情報検索・取得部
１２     特定情報取得部
１４     特定情報決定部
１５      送信情報生成部
１６      入力部
１７      出力部
１８      第１の記憶部
２０      第２の通信部
２１      第２の制御部
３０      サーバ通信部
３１      サーバ制御部
３２      サーバ送信情報生成部
３３      サーバ記憶部
３４      応答生成部
１００、２００、３００    ＣＰＵ
１１０、２１０、３１０    内部メモリ
１２０、２２０、３２０    外部メモリ
１３０、２３０、３３０    通信装置
１３１、２３１、３３１    送信装置
１３２、２３２、３３２    受信装置
１４０    入力装置
１５０    出力装置
１６０、２４０、３４０    バス
【図１】
2013183385.tif 000003
【図２】
2013183385.tif 000004
【図３】
2013183385.tif 000005
【図４】
2013183385.tif 000006
【図５】
2013183385.tif 000007
【図６】
2013183385.tif 000008
【図７】
2013183385.tif 000009
【図８】
2013183385.tif 000010
【図９】
2013183385.tif 000011
【図１０】
2013183385.tif 000012
【図１１】
2013183385.tif 000013
【図１２】
2013183385.tif 000014
【図１３】
2013183385.tif 000015
【図１４】
2013183385.tif 000016